(57)【要約】【課題】  本発明の目的は、ひとつの接眼レンズを共有する一眼レフ形式とレンジ・ファインダー形式のふたつの光学系を持つカメラを作成することにある。【解決手段】  ミラーが組み込まれ、レンズ鏡筒が前面側に取り付けられるとともに、背面側に露光面が設けられたミラー格納部を有するカメラにおいて、前記ミラーから反射して前記露光面と共役な位置のピントグラスに結像される画像からコンデンサーレンズと角柱プリズムとリレーレンズとを介して前記コンデンサーレンズの光軸とは平面を共有しない光軸を持つ接眼レンズにて観察可能な可視画像を形成する一眼レフ形式のファインダー光路と、ダハ面を有するプリズムと凸レンズによって生成される実像と凹レンズによって生成される虚像とで合成される二重画像から前記接眼レンズにて観察可能な可視画像を形成するレンジ・ファインダー形式のファインダー光路を有することを特徴とするカメラの光学系。【選択図】  図４
2005031705.tif 000002
【特許請求の範囲】
【請求項１】
ミラーが揺動往復動自在に組み込まれ、レンズが取り付けられた鏡筒が前面側に取り付けられるとともに、背面側に露光面が設けられたミラー格納部を有するカメラにおいて、
前記ミラーから反射して前記露光面と共役な位置のピントグラスに結像される画像からコンデンサーレンズと角柱プリズムとリレーレンズとを介して前記コンデンサーレンズの光軸とは平面を共有しない光軸を持つ接眼レンズにて観察可能な可視画像を形成する一眼レフ形式のファインダー光路と、
ダハ面を有するプリズムと凸レンズによって生成される実像と、凹レンズによって生成される虚像とで合成される二重画像から、前記接眼レンズにて観察可能な可視画像を形成するレンジ・ファインダー形式のファインダー光路を有することを特徴とするカメラの光学系。
【請求項２】
交換レンズが外された状態では請求項１における前記ミラー格納部の前記ミラーは反射面を閉じたミラー・アップ状態にあり、取り付けられる交換レンズの種類によって一眼レフ形式ないしはレンジ・ファインダー形式のいずれかのファインダー光路が自動設定されることを特徴とする請求項１記載のカメラの光学系。
【発明の詳細な説明】
【技術分野】
【０００１】  本発明は、ブローニーフィルムを使用する６４５判一眼レフカメラに関する。
【背景技術】
【０００２】  一般に写真撮影においてファインダーを用いて撮影像の焦点を合わせる方式には、一眼レフのように撮影像をファインダー像に転用する方式と、レンジ・ファインダーのように撮影像とファインダー像に異なる光学系を用いる方式とがあるが、撮影状況に応じてそれぞれの方式の長所を活かした撮影をするためには個別のカメラを準備する必要がある。【０００３】  一方、特許文献１によれば、新しい一眼レフとして図１ａに示すコンデンサー・レンズ０１の光軸を含む平面上と、その平面の上位に平行する図１ｂに示す接眼レンズ０２の光軸を含む平面上に光路を持つ光学系が示唆されている。【０００４】  ここに、非常に単純な構造を持つ図１ｂは、図２に示す一般的なレンジ・ファインダー光学系の一部を共有できる可能性が認められる。
【特許文献１】特開２００４−１７０９７１
【発明の開示】
【発明が解決しようとする課題】
【０００５】  本発明の目的は、ひとつの接眼レンズを共有する一眼レフ形式とレンジ・ファインダー形式のふたつの光学系を持つカメラを作成することにある。
【課題を解決するための手段】
【０００６】  本発明のカメラの光学系は、
ミラーが揺動往復動自在に組み込まれ、レンズが取り付けられた鏡筒が前面側に取り付けられるとともに、背面側に露光面が設けられたミラー格納部を有するカメラにおいて、
前記ミラーから反射して前記露光面と共役な位置のピントグラスに結像される画像からコンデンサーレンズと角柱プリズムとリレーレンズとを介して前記コンデンサーレンズの光軸とは平面を共有しない光軸を持つ接眼レンズにて観察可能な可視画像を形成する一眼レフ形式のファインダー光路と、
ダハ面を有するプリズムと凸レンズによって生成される実像と、凹レンズによって生成される虚像とで合成される二重画像から、前記接眼レンズにて観察可能な可視画像を形成するレンジ・ファインダー形式のファインダー光路を有することを特徴とする。
【発明の効果】
【０００７】  一眼レフ・カメラにおける長所（後述）と、レンジ・ファインダー・カメラにおける長所（後述）を、撮影目的に応じて一台のカメラで実現することが可能となる。【０００８】  一眼レフ・カメラにおける長所：１）ファインダー像と視差のない撮影像を得ることができる。２）近接撮影ができる。３）望遠撮影ができる。【０００９】  レンジ・ファインダー・カメラにおける長所：１）短焦点レンズの小型化が可能である。２）撮影レンズに因らず常に明るいファインダー像を得ることができる。３）シャッター・リリース時のブラック・アウトがない。４）静寂性に優れる。５）シャッター・リリースとシャッター始動のタイム・ラグが小さい。
【発明を実施するための最良の形態】
【００１０】  以下、本発明の実施の形態を図面３〜６に基づいて詳細に説明する。【００１１】  図３は図１ｂから抜き出した光学系の二つ目の直角プリズム０３を可動ミラー０４に変更したものであり、図４は図３に、ペンタゴナル・ダハ・プリズム０５などのレンジ・ファインダーとして必要な部材を追加したものであり、図５、及び図６は、図４における可動ミラーの切り替えによってひとつの光学系がふたつのファインダー方式の光学系となる様子を示している。【００１２】  図５は一眼レフ形式での利用時における光学系を示すものであり、光路は図１ｂと同等である。
図５と図１ｂの相違点は接眼レンズの直前に配置されたふたつのプリズムであるが、これらのプリズムは接眼レンズに対して垂直に進入する光束に対しては屈折を起こさないように配置されているものとする。【００１３】  図６はレンジ・ファインダー形式での利用時における光学系を示すものである。
可動ミラー０４を立てることで上方にある凹レンズ０６により生成される虚像と、遮蔽窓０７を開けることによってペンタゴナル・ダハ・プリズム０５を経由して凸レンズ０８によって生成される二重合致用の実像がファインダー上に重なり合って表示される。【００１４】  なお、接眼レンズの直前に配置されたふたつのプリズムは右側から進入する光束に対しては接眼レンズ方向へ屈折するように配置されているものとする。【００１５】  また、レンズの繰り出し量に応じてファインダー上の虚像に二重合致用の実像を重ね合わせるレンジ・ファインダーの測距機構は半世紀以上にわたる公知技術であるため詳細説明は省略する。【００１６】  なお、ふたつのファインダー方式を効果的に切り替えるには、図１ａにおける交換レンズ０９が取り外された状態ではミラー格納部のミラー１０は反射面を閉じたミラー・アップ状態にあり、取り付けられる交換レンズの種類によって一眼レフ形式ないしはレンジ・ファインダー形式のいずれかのファインダー光路が自動設定される方法が考えられる。
【図面の簡単な説明】
【００１７】
【図１】  特許文献１に基づく一眼レフ・カメラの光路図
【図２】  レンジ・ファインダー光学系
【図３】  図１ｂの修正図
【図４】  複合ファインダー光学系の光学部材配置図
【図５】  複合ファインダーによる一眼レフ光学系
【図６】  複合ファインダーによるレンジ・ファインダー光学系
【符号の説明】
【００１８】    ０１  コンデンサーレンズ
０２  接眼レンズ
０３  直角プリズム
０４  可動ミラー
０５  ペンタゴナル・ダハ・プリズム
０６  凹レンズ
０７  遮蔽窓
０８  凸レンズ
０９  交換レンズ
１０  ミラー
【図１】
2005031705.tif 000003
【図２】
2005031705.tif 000004
【図３】
2005031705.tif 000005
【図４】
2005031705.tif 000006
【図５】
2005031705.tif 000007
【図６】
2005031705.tif 000008